(57)【特許請求の範囲】
【請求項１】
外部電力供給源、エネルギー貯蔵装置及び分電盤を含む電力監視システムにおいて、
電力を印加する外部電力供給源；
前記外部電力供給源から印加される電力を第１負荷に分配する分電盤；
前記外部電力供給源から印加される電力を貯蔵し、貯蔵された前記電力を放電し、充電及びＡＣ  ＰＡＳＳモード、充電モード、ＡＣ  ＰＡＳＳモード、並びに、放電モードのうちの１つで動作するエネルギー貯蔵装置；
前記エネルギー貯蔵装置の一端に接続されて、前記エネルギー貯蔵装置から電力が印加される第２負荷；
前記外部電力供給源の出力端に接続され、前記外部電力供給源から印加される第１電力量データを取得する第１電力測定装置；
前記分電盤の入力端に接続され、前記分電盤から第１負荷に分配される第２電力量データを取得する第２電力測定装置；
前記エネルギー貯蔵装置の入力端に接続され、前記エネルギー貯蔵装置に印加される第３電力量データを取得する第３電力測定装置；及び
前記エネルギー貯蔵装置が、充電及びＡＣ  ＰＡＳＳモード、充電モード、ＡＣ  ＰＡＳＳモード及び放電モードで動作するとき、前記第１電力量データ、前記第２電力量データ及び前記第３電力量データのうち少なくとも１つに基づいて電力を監視するサーバ；を含み、
前記サーバは、
前記第１電力量データまたは第３電力量データに含まれた前記エネルギー貯蔵装置の電力消費パターンを利用して、前記エネルギー貯蔵装置において充電する電力や放電する電力が存在しない場合に、前記エネルギー貯蔵装置の動作状態をＡＣ  ＰＡＳＳモードと判断し、
前記サーバは、
前記第１電力量データまたは第３電力量データに含まれた前記エネルギー貯蔵装置の電力消費パターンを利用して、前記エネルギー貯蔵装置が電力を消費すると、前記エネルギー貯蔵装置の動作状態を充電モードと判断し、
前記サーバは、
前記第２電力量データに含まれた前記第１負荷の消費電力量が、前記第１電力量データに含まれた前記外部電力供給源から印加される電力量よりも大きい場合、又は、前記第３電力量データに含まれた前記エネルギー貯蔵装置に印加される電力量が負数の場合、前記エネルギー貯蔵装置の動作状態を放電モードと判断し、
前記サーバは、
前記第１電力量データまたは第３電力量データに含まれた前記エネルギー貯蔵装置の電力消費パターン及び前記第２負荷の電力消費パターンを利用して、前記エネルギー貯蔵装置が充電中であり、前記第２負荷が電力を消費中であれば、前記エネルギー貯蔵装置の動作状態を充電及びＡＣ  ＰＡＳＳモードであると判断する
電力監視システム。
【請求項２】
前記第１電力量データは、
前記第１負荷、前記エネルギー貯蔵装置及び前記第２負荷のうち少なくとも１つの電力消費パターンを含み、
前記サーバは、
前記第１電力量データをＮＩＬＭアルゴリズムを用いて分析することにより、前記第１負荷が消費する電力量、前記エネルギー貯蔵装置が消費する電力量及び前記第２負荷が消費する電力量のうち少なくとも１つを獲得する請求項１に記載の電力監視システム。
【請求項３】
前記第２電力量データは、
前記第１負荷の電力消費パターンを含み、
前記サーバは、
前記第２電力量データをＮＩＬＭアルゴリズムを用いて分析することにより、前記第１負荷が消費する電力量を獲得する請求項１に記載の電力監視システム。
【請求項４】
前記第３電力量データは、
前記エネルギー貯蔵装置及び前記第２負荷のうち少なくとも１つの電力消費パターンを含み、
前記サーバは、
前記第３電力量データをＮＩＬＭアルゴリズムを用いて分析することにより、前記第２負荷が消費する電力量、前記エネルギー貯蔵装置が消費する電力量のうち少なくとも１つを獲得する請求項１に記載の電力監視システム。
【請求項５】
外部電力供給源、エネルギー貯蔵装置及び分電盤を含む電力監視システムにおいて、
電力を印加する外部電力供給源；
前記外部電力供給源から印加される電力を第１負荷および前記エネルギー貯蔵装置のうち少なくとも１つに分配する分電盤；
前記分電盤の出力端に接続され、前記分電盤から分配される電力を貯蔵し、前記貯蔵された電力を放電し、充電及びＡＣ  ＰＡＳＳモード、充電モード、ＡＣ  ＰＡＳＳモード、並びに、放電モードのうちの１つで動作するエネルギー貯蔵装置；
前記エネルギー貯蔵装置の一端に接続されて、前記エネルギー貯蔵装置から電力が印加される第２負荷；
前記外部電力供給源の出力端に接続され、前記外部電力供給源から印加される第１電力量データを取得する第１電力測定装置；
前記分電盤の入力端に接続され、前記分電盤で前記第１負荷および前記エネルギー貯蔵装置のうち少なくとも１つに分配される第２電力量データを取得する第２電力測定装置；
前記エネルギー貯蔵装置の入力端に接続され、前記エネルギー貯蔵装置に印加される第３電力量データを取得する第３電力測定装置；
前記第２負荷に印加される第４電力量データを取得する第４電力測定装置；及び
前記エネルギー貯蔵装置が、充電及びＡＣ  ＰＡＳＳモード、充電モード、ＡＣ  ＰＡＳＳモード及び放電モードで動作するとき、前記第１電力量データ、前記第２電力量データ、前記第３電力量データ及び前記第４電力量データのうち少なくとも１つに基づいて電力を監視するサーバ；を含み、
前記サーバは、
前記第１電力量データまたは第２電力量データに含まれた前記エネルギー貯蔵装置の電力消費パターンを利用して、前記エネルギー貯蔵装置において充電する電力や放電する電力が存在しない場合に、前記エネルギー貯蔵装置の動作状態をＡＣ ＰＡＳＳモードと判断し、
前記サーバは、
前記第１電力量データまたは第２電力量データに含まれた前記エネルギー貯蔵装置の電力消費パターンを利用して、前記エネルギー貯蔵装置が充電中であれば、前記エネルギー貯蔵装置の動作状態を充電モードと判断し、
前記サーバは、
前記第４電力量データに含まれた前記第２負荷の消費電力量が前記第３電力量データに含まれた前記エネルギー貯蔵装置に印加される電力量よりも大きい場合、前記エネルギー貯蔵装置の動作状態を放電モードと判断し、
前記サーバは、
前記第１電力量データまたは前記第２電力量データに含まれた前記エネルギー貯蔵装置の電力消費パターン及び前記第２負荷の電力消費パターンを利用して、あるいは、前記第３電力量データに含まれた前記エネルギー貯蔵装置の電力消費パターン及び前記第２負荷の電力消費パターンを利用して、前記エネルギー貯蔵装置が充電中であり、前記第２負荷が電力を消費中であれば、前記エネルギー貯蔵装置の動作状態を充電及びＡＣ ＰＡＳＳモードであると判断する
電力監視システム。
【請求項６】
前記第１電力量データ及び前記第２電力量データのそれぞれは、
前記第１負荷、前記エネルギー貯蔵装置及び前記第２負荷のうち少なくとも１つの電力消費パターンを含み、
前記サーバは、
前記第１電力量データまたは前記第２電力量データをＮＩＬＭアルゴリズムを用いて分析することにより、前記第１負荷が消費する電力量、前記エネルギー貯蔵装置が消費する電力量及び前記第２負荷が消費する電力量のうち少なくとも１つを獲得する請求項５に記載の電力監視システム。
【請求項７】
前記第３電力量データは、
前記エネルギー貯蔵装置及び前記第２負荷のうち少なくとも１つの電力消費パターンを含み、
前記サーバは、
前記第３電力量データをＮＩＬＭアルゴリズムを用いて分析することにより、前記第２負荷が消費する電力量、前記エネルギー貯蔵装置が消費する電力量のうち少なくとも１つを獲得する請求項５に記載の電力監視システム。
【請求項８】
前記第４電力量データは、
前記第２負荷の電力消費パターンを含み、
前記サーバは、
前記第４電力量データをＮＩＬＭアルゴリズムを用いて分析することにより、前記第２負荷が消費する電力量を獲得する請求項５に記載の電力監視システム。
【発明の詳細な説明】
【技術分野】
【０００１】
本発明は、電力監視システムに関するものである。
【背景技術】
【０００２】
デジタル技術及びネットワーク技術の発展とともに生活家電及び情報家電機器も技術の融合/複合化に応じてさまざまな機能を備えるように開発されている。また、各家庭やオフィスでは、これらのデジタル融合/複合機器が広く普及している。しかし、機能の融合/複合化及びネットワーク機能のサポートにより、かかる情報家電機器は、ユーザーの要求による電力消費およびユーザーの意図とは違ってユーザーが認識していないうちに待機電力が消費されることになる。
【０００３】
しかし、ユーザーは自分のどのような機器がどの特定の期間中にどれだけの電力を消耗するのか知ることができないため、電気エネルギーの節約の必要性を感じていない。
【０００４】
これらの問題を解決するために、電子機器別のエネルギー消費の監視機能に関連して、家庭や建物単位で消費される電力量の総量を測定する電力測定装置によって電子機器ごとに特定の期間を定めて電力消費量及び電力消費の形態を分析及び監視することができる技術がある。
【０００５】
図１は、従来の電力監視システムの構成を示すブロック図である。
【０００６】
図１を参照すると、従来の電力監視システムは、外部電力供給源１から各家庭３に供給される電力が、各家庭３ごとに設けられる分電盤２を介してコンセントに接続された家電機器に供給することができる。特に分電盤２には、外部電力供給源１から供給される電力が家庭３内の家電機器でどのように使用されるか、電力の使用状態及び使用電力量を確認するための電力測定装置４を構成する。
【０００７】
上記の電力測定装置４は、家電機器の電力使用量及び使用パターン情報を利用して遠隔地のサーバを通じて個々の監視を実行することができる。
【０００８】
一方、最近は外部電力供給源１以外の発電源またはエネルギー源を利用して、家庭３内の家電機器に電力を供給する事例が増加している傾向にある。ここで、外部電力供給源１以外の発電源またはエネルギー源の代表的な例としては、エネルギー貯蔵装置を挙げることができる。
【０００９】
ただし、従来の電力監視システムは、システムにエネルギー貯蔵装置が接続されて電力を供給する場合、エネルギー貯蔵装置から付加的に供給される電力量を取得することができない。したがって、ユーザーの立場では、家庭３内の家電機器だけでなく、エネルギー貯蔵装置から付加的に流入される電力量、エネルギー貯蔵装置に貯蔵される電力量まで考慮して、家庭での電力の生産及び消費を総合的に監視することができないという問題があった。
【発明の概要】
【発明が解決しようとする課題】
【００１０】
本発明は、上記の問題点を解決するためのものであって、本発明の目的は、外部電力供給源に加えてエネルギー貯蔵装置が付加された場合、負荷に供給される電力の消費状態及び再生可能エネルギー源の電力生産状態を総合的に監視することができる電力監視システムに関するものである。
【課題を解決するための手段】
【００１１】
本発明の一実施形態に係る外部電力供給源、エネルギー貯蔵装置及び分電盤を含む電力監視システムは、電力を印加する外部電力供給源、前記外部電力供給源から印加される電力を第１電子機器負荷に分配する分電盤、前記外部電力供給源から印加される電力を貯蔵し、貯蔵された前記電力を放電するエネルギー貯蔵装置、前記外部電力供給源の出力端に接続されて、前記外部電力供給源から印加される第１電力量データを取得する第１電力測定装置、前記分電盤の入力端に接続されて、前記分電盤から前記第１負荷に分配される第２電力量データを取得する第２電力測定装置、前記エネルギー貯蔵装置の入力端に接続されて、前記エネルギー貯蔵装置に印加される第３電力量データを取得する第３電力測定装置、及び、前記第１電力量データ、前記第２電力量データ及び前記第３電力量データのうち少なくとも１つに基づいて電力を監視するサーバを含む。
【００１２】
一方、本発明の別の実施形態に係る、外部電力供給源、エネルギー貯蔵装置及び分電盤を含む電力監視システムは、電力を印加する外部電力供給源、前記外部電力供給源から印加される電力を、第１負荷及び前記エネルギー貯蔵装置のうち少なくとも１つに分配する分電盤、前記分電盤の出力端に接続されて、前記分電盤から分配される電力を貯蔵し、前記貯蔵された電力を放電するエネルギー貯蔵装置、前記外部電力供給源の出力端に接続されて、前記外部電力供給源から印加される第１電力量データを取得する第１電力測定装置、前記分電盤の入力端に接続されて、前記分電盤から前記第１負荷および前記エネルギー貯蔵装置のうち少なくとも１つに分配される第２電力量データを取得する第２電力測定装置、前記エネルギー貯蔵装置の入力端に接続されて、前記エネルギー貯蔵装置に印加される第３電力量データを取得する第３電力測定装置、及び、前記第１電力量データ、前記第２電力量データ及び前記第３電力量データのうち少なくとも１つに基づいて電力を監視するサーバを含む。
【発明の効果】
【００１３】
本発明の一実施形態によれば、従来の外部電力供給源以外にも、エネルギー貯蔵装置が付加された場合、負荷に供給される電力の消費状態及び再生可能エネルギー源の電力生産の状態を総合的に監視することができる効果がある。
【図面の簡単な説明】
【００１４】
【図１】従来の電力監視システムの構成を示すブロック図である。
【図２】本発明の一実施形態に係る電力監視システムの構成を示すブロック図である。
【図３】エネルギー貯蔵装置がＡＣ ＰＡＳＳモードで動作する場合の電力を監視する方法を説明するフローチャートである。
【図４】エネルギー貯蔵装置がＡＣ ＰＡＳＳモードで動作する場合の電力を監視する方法を説明するフローチャートである。
【図５】エネルギー貯蔵装置が充電モードで動作する場合の電力を監視する方法を説明するフローチャートである。
【図６】エネルギー貯蔵装置が充電モードで動作する場合の電力を監視する方法を説明するフローチャートである。
【図７】エネルギー貯蔵装置が放電モードで動作する場合の電力を監視する方法を説明するフローチャートである。
【図８】エネルギー貯蔵装置が放電モードで動作する場合の電力を監視する方法を説明するフローチャートである。
【図９】エネルギー貯蔵装置が充電及びＡＣ ＰＡＳＳモードで動作する場合の電力を監視する方法を説明するフローチャートである。
【図１０】エネルギー貯蔵装置が充電及びＡＣ ＰＡＳＳモードで動作する場合の電力を監視する方法を説明するフローチャートである。
【図１１】本発明の別の実施形態に係る電力監視システムの構成を示すブロック図である。
【図１２】エネルギー貯蔵装置がＡＣ ＰＡＳＳモードで動作する場合の電力を監視する方法を説明するフローチャートである。
【図１３】エネルギー貯蔵装置がＡＣ ＰＡＳＳモードで動作する場合の電力を監視する方法を説明するフローチャートである。
【図１４】エネルギー貯蔵装置が充電オードで動作する場合の電力を監視する方法を説明するフローチャートである。
【図１５】エネルギー貯蔵装置が充電オードで動作する場合の電力を監視する方法を説明するフローチャートである。
【図１６】エネルギー貯蔵装置が放電モードで動作する場合の電力を監視する方法を説明するフローチャートである。
【図１７】エネルギー貯蔵装置が放電モードで動作する場合の電力を監視する方法を説明するフローチャートである。
【図１８】エネルギー貯蔵装置が充電及びＡＣ ＰＡＳＳモードで動作する場合の電力を監視する方法を説明するフローチャートである。
【図１９】エネルギー貯蔵装置が充電及びＡＣ ＰＡＳＳモードで動作する場合の電力を監視する方法を説明するフローチャートである。
【図２０】本発明の実施形態に係る監視サーバの構成を示すブロック図である。
【図２１】本発明の実施形態に係る電力監視結果の出力動作のフローチャートである。
【図２２】本発明の実施形態に係る電力監視結果の出力を例示する図である。
【発明を実施するための形態】
【００１５】
以下では、添付の図面を参照して、本発明の好ましい実施形態に係る電力監視システム及びその電力監視方法について詳細に説明する。
【００１６】
図２は、本発明の一実施形態に係る電力監視システムの構成を示すブロック図である。
【００１７】
図２を参照すると、本発明の一実施形態に係る負荷電力監視システムは、監視サーバ１０（サーバの一例）、外部電力供給源１１０、分電盤１２０、第１負荷１３０、エネルギー貯蔵装置１４０(ＥＳＳ： Ｅｎｅｒｇｙ Ｓｔｏｒａｇｅ Ｓｙｓｔｅｍ)及び第２負荷１５０を含む。特に、外部電力供給源１１０、分電盤１２０及びエネルギー貯蔵装置１４０の出力端または入力端には、上記の装置に流入、または出力される電力量データを取得するための電力測定装置１７１,１７２,１７３を含んで構成することができる。
【００１８】
監視サーバ１０は、電力測定装置１７１,１７２,１７３から測定された負荷及び電力源の電力消費量、流入量または電力消費パターンを含む電力量データを取得することができる。そして監視サーバ１０は取得されたデータに基づいてシステム全体の供給電力、システム全体の消費電力、システム内の個々の負荷の消費電力及び動作状態を監視し出力することができる。
【００１９】
図２０は、本発明の実施形態に係る監視サーバ１０の構成を示すブロックである。
【００２０】
図２０を参照すると、本発明の実施形態に係る監視サーバ１０は、通信部１１、制御部１２、格納部１３及び出力部１４を含んで構成されることができる。
通信部１１は、電力測定装置１７１,１７２,１７３，１７４または外部装置の間を無線または有線通信が可能なようにするための１つ以上のモジュールを含むことができる。
【００２１】
通信部１１は、ＷＬＡＮ（Ｗｉｒｅｌｅｓｓ ＬＡＮ）（Ｗｉ−Ｆｉ）、Ｗｉｂｒｏ（Ｗｉｒｅｌｅｓｓ ｂｒｏａｄｂａｎｄ）（登録商標）、Ｗｉｍａｘ（Ｗｏｒｌｄ Ｉｎｔｅｒｏｐｅｒａｂｉｌｉｔｙ ｆｏｒ Ｍｉｃｒｏｗａｖｅ Ａｃｃｅｓｓ）（登録商標）、ＨＳＤＰＡ（Ｈｉｇｈ Ｓｐｅｅｄ Ｄｏｗｎｌｉｎｋ Ｐａｃｋｅｔ Ａｃｃｅｓｓ）が利用される無線インターネットモジュールなど様々な形態で構成されることができる。また、通信部１１は、ブルートゥース（Ｂｌｕｅｔｏｏｔｈ）（登録商標）、ＲＦＩＤ（Ｒａｄｉｏ Ｆｒｅｑｕｅｎｃｙ Ｉｄｅｎｔｉｆｉｃａｔｉｏｎ）、赤外線通信（ＩｒＤＡ、ｉｎｆｒａｒｅｄ Ｄａｔａ Ａｓｓｏｃｉａｔｉｏｎ）、ＵＷＢ（Ｕｌｔｒａ Ｗｉｄｅｂａｎｄ）、ＺｉｇＢｅｅ（登録商標）が利用される近距離通信モジュール、有線通信モジュールなど、様々な形態で構成されることができる。通信部１１は、電力測定装置１７１,１７２,１７３のうち少なくとも１つから電力量データを受信することができる。
【００２２】
ここで電力量データは、電力流入量、電力消費量、電力消費パターン及び個々の負荷の電力消費パターンを含むことができる。
【００２３】
制御部１２は、通信部１１を介して受信される電力測定装置１７１,１７２,１７３，１７４の電力量データを用いてシステムの電力を監視することができる。
具体的には、制御部１２は、電力測定装置１７１,１７２,１７３，１７４から受信した電力量データを用いて電力流入量、電力消費量および電力消費パターンのうち少なくとも１つを獲得することができる。
【００２４】
また、制御部１２は、受信した電力量データから個々の負荷の電力消費パターンを抽出し、抽出された個々の負荷の電力消費パターンを利用して個々の負荷の動作状態及び消費電力量を獲得することができる。
【００２５】
一方、制御部１２は、ＮＩＬＭ（Ｎｏｎ−ｉｎｔｒｕｓｉｖｅ Ｌｏａｄ Ｍｏｎｉｔｏｒｉｎｇ）アルゴリズムを利用して電力消費パターンを分析することができる。具体的には、制御部１２は、電力測定装置１７１,１７２,１７３，１７４から電力量データを受信すると、受信した電力量データをＮＩＬＭ（Ｎｏｎ−ｉｎｔｒｕｓｉｖｅ Ｌｏａｄ Ｍｏｎｉｔｏｒｉｎｇ）アルゴリズムを用いて分析することにより、電力流入量、電力消費量、電力消費パターン、個々の負荷の動作状態及び個々の負荷の消費電力量のうち少なくとも１つを獲得することができる。ここでＮＩＬＭ（Ｎｏｎ−ｉｎｔｒｕｓｉｖｅ Ｌｏａｄ Ｍｏｎｉｔｏｒｉｎｇ）アルゴリズムとは、電力が供給される特定の地点で測定されたデータを利用して、特定の地点に接続された個々の負荷の電力消耗量を測定することができるアルゴリズムを意味する。
【００２６】
また、制御部１２は、受信した電力量データ、受信した電力量データを分析して獲得した結果及びその電力測定装置１７１,１７２,１７３，１７４に関する情報を格納部１３に格納したり、出力部１４を利用して出力することができる。
【００２７】
格納部１３は、制御部１２で実行される電力使用パターンの分析のためのアルゴリズムを格納することができる。格納部１３の例としては、フラッシュメモリタイプ（ｆｌａｓｈ ｍｅｍｏｒｙ ｔｙｐｅ）、ハードディスクタイプ（ｈａｒｄ ｄｉｓｋ ｔｙｐｅ）、マルチメディアカードマイクロタイプ（ｍｕｌｔｉｍｅｄｉａ ｃａｒｄ ｍｉｃｒｏ ｔｙｐｅ）、カードタイプのメモリ（例えば、ＳＤまたはＸＤメモリなど）、ラム（Ｒａｎｄｏｍ Ａｃｃｅｓｓ Ｍｅｍｏｒｙ、ＲＡＭ）、ＳＲＡＭ（Ｓｔａｔｉｃ Ｒａｎｄｏｍ Ａｃｃｅｓｓ Ｍｅｍｏｒｙ）、ローム（Ｒｅａｄ−Ｏｎｌｙ Ｍｅｍｏｒｙ、ＲＯＭ）、ＥＥＰＲＯＭ（Ｅｌｅｃｔｒｉｃａｌｌｙ Ｅｒａｓａｂｌｅ Ｐｒｏｇｒａｍｍａｂｌｅ Ｒｅａｄ−Ｏｎｌｙ Ｍｅｍｏｒy）、ＰＲＯＭ（Ｐｒｏｇｒａｍｍａｂｌｅ Ｒｅａｄ−Ｏｎｌｙ Ｍｅｍｏｒｙ）、磁気メモリ、磁気ディスク、光ディスクのうち少なくとも１つのタイプの記憶媒体を含むことができる。
【００２８】
出力部１４は、制御部１２の制御に基づいて電力量データの分析結果を映像または音声などの様々な形で出力することができる。出力部１４の例としては、ディスプレイ部、音声出力部などが含まれることができる。
【００２９】
他にも、ユーザー入力部（図示せず）を構成することができ、ユーザー入力部の入力に基づいて監視サーバ１０を制御することができる。また、電力流入量、電力消費量、電力消費パターン、個々の負荷の動作状態及び個々の負荷の電力消費量のうち少なくとも１つを出力することができる。
【００３０】
図２に戻ると、本発明の実施形態に係る電力監視システムは、外部電力供給源１１０、分電盤１２０、第１負荷１３０、エネルギー貯蔵装置１４０(ＥＳＳ： Ｅｎｅｒｇｙ Ｓｔｏｒａｇｅ Ｓｙｓｔｅｍ)及び第２負荷１５０を含むことができる。一方、以下の発明の説明では第１負荷１３０及び第２負荷１５０が電子機器であると説明するが、これに限定されず、電力の供給を受けて消費することができる全ての装置を意味することができる。
【００３１】
外部電力供給源１１０は、発電所などの外部発電源であって、外部電力供給源１１０から流入される電力は、分電盤１２０を介して宅内の電子機器１３０を含む様々な負荷に供給されることができる。また、外部電力供給源１１０から流入される電力は、エネルギー貯蔵装置１４０に印加されてエネルギー貯蔵装置１４０を充電するために使用することができる。また、外部電力供給源１１０から流入される電力は、エネルギー貯蔵装置１４０を介してエネルギー貯蔵装置１４０に接続された電子機器１５０に供給されることができる。
【００３２】
分電盤１２０は、分電盤１２０に流入される電力を宅内の電子機器１３０のような様々な負荷に印加されるように分配することができる。
【００３３】
エネルギー貯蔵装置１４０（ＥＳＳ：Ｅｎｅｒｇｙ Ｓｔｏｒａｇｅ Ｓｙｓｔｅｍ）は、外部電力供給源１１０から流入される電力を貯蔵することができる。また、貯蔵された電力を一定時点（またはユーザーの要求時点）にエネルギー貯蔵装置１４０の一端に接続される電子機器１５０に印加されるようにすることができる。例えば、深夜時間帯のように、電力消費が少ないか電力使用料金が安価な時間帯にエネルギー貯蔵装置１４０に電力を貯蔵し、電力需要量が急増したり、電力使用料金が高い時間帯に貯蔵された電力を一端に接続される電子機器１５０に放電することができる。
【００３４】
外部電力供給源１１０の出力端、分電盤１２０の入力端およびエネルギー貯蔵装置１４０の入力端には、それぞれ電力測定装置１７１，１７２，１７３を接続して構成することができる。
【００３５】
外部電力供給源１１０の出力端に接続される第１電力測定装置１７１は、外部電力供給源１１０から供給される電力量を測定することができる少なくとも１つのモジュールで構成することができる。
【００３６】
また、第１電力測定装置１７１は、外部電力供給源１１０から流入される電力を電子機器１３０、１５０のような複数の負荷やエネルギー貯蔵装置１４０に供給する場合、複数の負荷及びエネルギー貯蔵装置１４０における全体の消費電力量および全体の電力の消費パターンを測定することができる少なくとも１つのモジュールで構成されることができる。
【００３７】
また、第１電力測定装置１７１は、複数の負荷それぞれの電力の消費パターン、そしてエネルギー貯蔵装置１４０の消費パターンを測定することができる。このような電力の消費パターンは、後にＮＩＬＭ（Ｎｏｎ−ｉｎｔｒｕｓｉｖｅ Ｌｏａｄ Ｍｏｎｉｔｏｒｉｎｇ）アルゴリズムを用いて分析されることにより、複数の負荷それぞれが消費する電力量、複数の負荷それぞれの動作状態情報、エネルギー貯蔵装置１４０が消費する電力量およびエネルギー貯蔵装置１４０の動作状態情報のうち少なくとも１つを獲得するために使用。
第２電力測定装置１７２は、分電盤１２０の入力端に接続され、分電盤１２０から宅内の電子機器１３０に分配される第２電力量データを取得することができる。
【００３８】
分電盤１２０の入力端に接続される第２電力測定装置１７２は、外部電力供給源１１０から流入される電力を宅内の電子機器１３０のような複数の負荷に供給する場合、複数の負荷における全体の消費電力量を測定することができる少なくとも１つのモジュールで構成することができる。
【００３９】
また、第２電力測定装置１７２は、複数の負荷それぞれの電力の消費パターンを測定することができる。このような複数の負荷それぞれの電力の消費パターンは、後にＮＩＬＭ(Ｎｏｎ−ｉｎｔｒｕｓｉｖｅ Ｌｏａｄ Ｍｏｎｉｔｏｒｉｎｇ)アルゴリズムを用いて分析されることにより、複数の負荷それぞれが消費する電力量、複数の負荷それぞれの動作状態情報及び複数の負荷それぞれの電力消費パターン情報のうち少なくとも１つを獲得するために使用することができる。
【００４０】
また、エネルギー貯蔵装置１４０の入力端に接続される第３電力測定装置１７３は、エネルギー貯蔵装置１４０に貯蔵される電力量やエネルギー貯蔵装置１４０で放電する電力量を測定することができる少なくとも１つのモジュールで構成することができる。
【００４１】
また、第３電力測定装置１７３は、エネルギー貯蔵装置１４０の電力の消費パターンを測定することができる少なくとも１つのモジュールで構成することができる。このようなエネルギー貯蔵装置１４０の電力の消費パターンは、後にＮＩＬＭ（Ｎｏｎ−ｉｎｔｒｕｓｉｖｅ Ｌｏａｄ Ｍｏｎｉｔｏｒｉｎｇ）アルゴリズムを用いて分析されることにより、エネルギー貯蔵装置１４０に貯蔵されるか、エネルギー貯蔵装置１４０で放電する電力量、エネルギー貯蔵装置１４０の動作状態情報のうち少なくとも１つを獲得するために使用することができる。
【００４２】
また、第３電力測定装置１７３は、エネルギー貯蔵装置１４０に接続された電子機器１５０の電力の消費パターンを測定することができる。このような電子機器１５０の電力の消費パターンは、後にＮＩＬＭ(Ｎｏｎ−ｉｎｔｒｕｓｉｖｅ Ｌｏａｄ Ｍｏｎｉｔｏｒｉｎｇ)アルゴリズムを用いて分析されることにより、電子機器１５０が消費する電力量、電子機器１５０の動作状態情報のうち少なくとも１つを獲得するために使用することができる。
【００４３】
上記のような電力測定装置１７１,１７２,１７３を含む電力監視システムの構成に基づき、図３〜図１０を参照して一実施形態に係る負荷電力監視方法について詳細に説明する。以下の監視方法は、データが収集される順序を限定して説明したが、これはデータ収集の順序とは無関係に、各電力測定装置１７１,１７２,１７３からデータが収集されることができる。
【００４４】
図３〜図１０は、本発明の実施形態に係る電力監視システムの電力監視方法を説明するためのフローチャートである。
【００４５】
図３は、エネルギー貯蔵装置１４０がＡＣ ＰＡＳＳモードで動作する場合、監視サーバ１０において第１電力測定装置１７１で取得された第１電力量データを用いて電力を監視する方法を説明するフローチャートである。
【００４６】
図３を参照すると、監視サーバ１０は、通信部１１を介して電力量データを収集することができる（Ｓ３１０）。具体的には、監視サーバ１０は外部電力供給源１１０の出力端に構成される第１電力測定装置１７１から第１電力量データを受信することができる。
【００４７】
一方、図２では、分電盤１２０の入力端に第２電力測定装置１７２を、エネルギー貯蔵装置１４０の入力端に第３電力測定装置１７３を構成することを例として説明したが、第２電力測定装置１７２の第２電力量データ及び第３電力測定装置１７３の第３電力量データは、第１電力量データによって推定されることができるため、本実施形態では、第２、第３電力量データを利用しなくても電力を監視することができる。
【００４８】
監視サーバ１０の制御部１２は、通信部１１を介して収集された第１電力測定装置１７１の第１電力量データを分析することができる（Ｓ３２０）。
【００４９】
この場合、第１電力量データには、外部電力供給源１１０から印加された電力量に関する情報が含まれることができる。
【００５０】
また、第１電力量データは、複数の電子機器１３０、エネルギー貯蔵装置１４０及びエネルギー貯蔵装置１４０に接続された電子機器１５０の総電力消費量及び総電力消費パターンを含むことができる。
【００５１】
また、第１電力量データは、複数の電子機器１３０を構成する個々の電子機器の電力消費パターンやエネルギー貯蔵装置１４０に接続された電子機器１５０の電力消費パターンを含むことができる。
【００５２】
監視サーバ１０の制御部１２は、第１電力測定装置１７１で取得された第１電力量データに基づいてシステムの電力を監視することができる（Ｓ３３０）。
【００５３】
具体的には、制御部１２は、第１電力測定装置１７１で取得された第１電力量データを用いて外部電力供給源１１０から印加される電力量を獲得することができる。また、制御部１２は、第１電力測定装置１７１で取得された第１電力量データを用いて、複数の電子機器１３０を構成する個々の電子機器の消費電力量および個々の電子機器の動作状態情報のうち少なくとも１つを獲得することができる。また、制御部１２は、第１電力測定装置１７１で取得された第１電力量データを用いて、エネルギー貯蔵装置１４０に接続された電子機器１５０が消費する電力量および動作状態情報のうち少なくとも１つを獲得することができる。この場合、ＮＩＬＭ（Ｎｏｎ−ｉｎｔｒｕｓｉｖｅ Ｌｏａｄ Ｍｏｎｉｔｏｒｉｎｇ）アルゴリズムを利用することができる。
【００５４】
一方、監視サーバ１０の制御部１２は、第１電力測定装置１７１で取得された第１電力量データを用いて、エネルギー貯蔵装置１４０の動作状態を判断することができる（Ｓ３４０）。具体的には、エネルギー貯蔵装置１４０がＡＣ ＰＡＳＳモードの場合、エネルギー貯蔵装置１４０では充電される電力や放電される電力がないため、制御部１２は、これを取得することによりエネルギー貯蔵装置１４０の動作状態がＡＣ ＰＡＳＳモードであると判断することができる。
【００５５】
一方、本実施形態では、システム内の電力を監視した後、エネルギー貯蔵装置１４０の動作モードを判断すると説明したが、これに限定されない。具体的には、制御部１２は、第１電力量データを用いてエネルギー貯蔵装置１４０で充電される電力や放電される電力がなければ、エネルギー貯蔵装置１４０の動作状態がＡＣ ＰＡＳＳモードであると判断した後、図３のアルゴリズムに基づいてシステム内の電力を監視することができる。
【００５６】
一方、制御部１２は、第１電力量データ、第１電力量データを用いて獲得した監視結果及びエネルギー貯蔵装置１４０の動作状態情報を格納部１３に格納することができる（Ｓ３５０）。
【００５７】
図４は、エネルギー貯蔵装置１４０がＡＣ ＰＡＳＳモードで動作する場合、監視サーバ１０において第２電力測定装置１７２で取得された第２電力量データと第３電力測定装置１７３で取得された第３電力量データを用いて電力を監視する方法を説明するフローチャートである。
【００５８】
図４を参照すると、監視サーバ１０は、通信部１１を介して電力量データを収集することができる（Ｓ４１０）。具体的には、監視サーバ１０は、分電盤１２０入力端に構成される第２電力測定装置１７２から第２電力量データを受信することができる。また、監視サーバ１０はエネルギー貯蔵装置１４０の入力端に構成される第３電力測定装置１７３から第３電力量データを受信することができる。
【００５９】
一方、図２では、外部電力供給源１１０の出力段に第１電力測定装置１７１を構成することを例として説明したが、第１電力測定装置１７１の第１電力量データは、第２電力量データ及び第３電力量データによって推定されることができるため、本電力監視システムは、第１電力量データを利用しなくても電力を監視することができる。
【００６０】
監視サーバ１０の制御部１２は、通信部１１を介して収集された第２電力測定装置１７２の第２電力量データを分析することができる（Ｓ４２０）。
【００６１】
この場合、第２電力量データは、分電盤１２０に印加される電力量に関する情報を含むことができる。
【００６２】
また、第２電力量データは、複数の電子機器１３０の総電力消費量、複数の電子機器１３０の総電力消費パターン、および複数の電子機器１３０を構成する個々の電子機器の電力消費パターンを含むことができる。
【００６３】
監視サーバ１０の制御部１２は、通信部１１を介して収集された第３電力測定装置１７３の第３電力量データを分析することができる（Ｓ４３０）。
【００６４】
この場合、第３電力量データは、エネルギー貯蔵装置１４０及び電子機器１５０のうち少なくとも１つの電力消費量を含むことができる。
【００６５】
また、第３電力量データは、エネルギー貯蔵装置１４０の電力消費パターン及びエネルギー貯蔵装置１４０に接続された電子機器１５０の電力消費パターンのうち少なくとも１つを含むことができる。
【００６６】
監視サーバ１０の制御部１２は、第２電力測定装置１７２で取得した第２電力量データと第３電力測定装置１７３で取得した第３電力量データを用いてシステムの全体の電力を監視することができる（Ｓ４４０）。
【００６７】
具体的には、制御部１２は、 第２電力測定装置１７２で取得された第２電力量データを用いて、複数の電子機器１３０の総電力消費量、個々の電子機器が消費する電力量および個々の電子機器の動作状態情報のうち少なくとも１つを獲得することができる。また、制御部１２は、第３電力測定装置１７３で取得された第３電力量データを用いて、エネルギー貯蔵装置１４０に接続された電子機器１５０が消費する電力量および動作状態情報を獲得することができる。この場合、ＮＩＬＭ（Ｎｏｎ−ｉｎｔｒｕｓｉｖｅ Ｌｏａｄ Ｍｏｎｉｔｏｒｉｎｇ）アルゴリズムを利用することができる。
【００６８】
また、制御部１２は、第２電力測定装置１７２で取得された第２電力量データと第３電力測定装置１７３で取得された第３電力量データを用いて、外部電力供給源１１０から印加される電力量を獲得することができる。具体的には、制御部１２は、第２電力量データに含まれる複数の電子機器１５０全体の消費電力量を第３電力量データに含まれるエネルギー貯蔵装置１４０に接続される電子機器１５０の消費電力量と加算することにより、外部電力供給源１１０から流入される電力量を獲得することができる。
【００６９】
一方、監視サーバ１０の制御部１２は、第３電力測定装置１７３で取得された第３電力量データを用いて、エネルギー貯蔵装置１４０の動作状態を判断することができる（Ｓ４５０）。具体的には、エネルギー貯蔵装置１４０がＡＣ ＰＡＳＳモードの場合、エネルギー貯蔵装置１４０では、充電される電力や放電される電力がないため、制御部１２は、これを取得することによりエネルギー貯蔵装置１４０の動作状態がＡＣ ＰＡＳＳモードであると判断することができる。
【００７０】
一方、本実施形態では、システム内の電力を監視した後、エネルギー貯蔵装置１４０の動作モードを判断すると説明したが、これに限定されない。具体的には、制御部１２は、第３電力量データを用いてエネルギー貯蔵装置１４０で充電されたり放電される電力がないことを利用して、エネルギー貯蔵装置１４０の動作状態がＡＣ ＰＡＳＳモードであることを判断した後、図４のアルゴリズムに基づいてシステム内の電力を監視することができる。
【００７１】
一方、制御部１２は、第２電力量データ及び第３電力量データを用いて獲得した監視結果及びエネルギー貯蔵装置１４０の動作状態情報のうち少なくとも１つを格納部１３に格納することができる（Ｓ４６０）。
【００７２】
一方、エネルギー貯蔵装置１４０が充電モードで動作する場合、監視サーバ１０で電力を監視する方法を図５及び図６を参照して説明する。
図５は、エネルギー貯蔵装置１４０が充電モードで動作する場合、監視サーバ１０において第１電力測定装置１７１で取得された第１電力量データを用いて電力を監視する方法を説明するためのフローチャートである。
【００７３】
図５を参照すると、監視サーバ１０は、通信部１１を介して電力量データを収集することができる（Ｓ５１０）。具体的には、監視サーバ１０は、外部電力供給源１１０の出力端に構成される第１電力測定装置１７１から第１電力量データを受信することができる。
【００７４】
一方、図２では、分電盤１２０の入力端に第２電力測定装置１７２を、エネルギー貯蔵装置１４０の入力端に第３電力測定装置１７３を構成することを例として説明した。一方、第２電力測定装置１７２の第２電力量データ及び第３電力測定装置１７３の第３電力量データは、第１電力量データによって推定されることができるため、本実施例では、第２、第３電力量データを利用しなくても電力を監視することができる。
【００７５】
監視サーバ１０の制御部１２は、通信部１１を介して収集された第１電力測定装置１７１の第１電力量データを分析することができる（Ｓ５２０）。
【００７６】
この場合、第１電力量データは、外部電力供給源１１０から印加された電力量に関する情報が含まれることできる。また、第１電力量データは、複数の電子機器１３０、エネルギー貯蔵装置１４０及びエネルギー貯蔵装置１４０に接続された電子機器１５０の総電力消費量、総電力消費パターンを含むことができる。
【００７７】
また、第１電力量データは、複数の電子機器１３０を構成する個々の電子機器の電力消費パターンやエネルギー貯蔵装置１４０の電力消費パターンを含むことができる。また、第１電力量データは、エネルギー貯蔵装置１４０に接続された電子機器１５０の電力消費パターンを含むことができる。ただし、本実施形態では、エネルギー貯蔵装置１４０が充電モードで動作するため、電子機器１５０の電力消費量は０になる。
【００７８】
監視サーバ１０の制御部１２は、第１電力測定装置１７１で取得された第１電力量データに基づいてシステムの電力を監視することができる（Ｓ５３０）。
【００７９】
具体的には、制御部１２は、第１電力測定装置１７１で取得された第１電力量データを用いて、外部電力供給源１１０から印加される電力量を獲得することができる。また、制御部１２は、第１電力測定装置１７１で取得された第１電力量データを用いて、複数の電子機器１３０の総電力消費量、複数の電子機器１３０を構成する個々の電子機器が消費する電力量及び個々の電子機器の動作状態情報のうち少なくとも１つを獲得することができる。また、制御部１２は、第１電力測定装置１７１で取得された第１電力量データを用いて、エネルギー貯蔵装置１４０が消費する電力量および動作状態情報のうち少なくとも１つを獲得することができる。この場合、ＮＩＬＭ（Ｎｏｎ−ｉｎｔｒｕｓｉｖｅ Ｌｏａｄ Ｍｏｎｉｔｏｒｉｎｇ）アルゴリズムを利用することができる。
【００８０】
一方、監視サーバ１０の制御部１２は、第１電力測定装置１７１で取得された第１電力量データを用いて、エネルギー貯蔵装置１４０の動作状態を判断することができる（Ｓ５４０）。
【００８１】
具体的には、第１電力量データにはエネルギー貯蔵装置１４０の電力消費パターンが含まれることができる。したがって、制御部１２は、エネルギー貯蔵装置１４０の電力消費パターンを分析することにより、エネルギー貯蔵装置１４０が充電モードで動作すると判断することができる。
【００８２】
一方、本実施形態では、システム内の電力を監視した後、エネルギー貯蔵装置１４０の動作モードを判断すると説明したが、これに限定されない。具体的には、制御部１２は、第１電力量データを用いてエネルギー貯蔵装置１４０の電力消費パターンを分析することにより、エネルギー貯蔵装置１４０の動作状態が充電モードであると判断した後、図５のアルゴリズムに基づいてシステム内の電力を監視することができる。
【００８３】
一方、制御部１２は、第１電力量データ、第１電力量データを用いて獲得した監視結果及びエネルギー貯蔵装置１４０の動作状態情報を格納部１３に格納することができる（Ｓ５５０）。
【００８４】
図６は、エネルギー貯蔵装置１４０が充電モードである場合、監視サーバ１０において第２電力測定装置１７２で取得された第２電力量データと第３電力測定装置１７３で取得された第３電力量データを用いて電力を監視する方法を説明するフローチャートである。
【００８５】
図６を参照すると、監視サーバ１０は、通信部１１を介して電力量データを収集することができる（Ｓ６１０）。具体的には、監視サーバ１０は、分電盤１２０入力端に構成される第２電力測定装置１７２から第２電力量データを受信することができる。また、監視サーバ１０は、エネルギー貯蔵装置１４０の入力端に構成される第３電力測定装置１７３から第３電力量データを受信することができる。
【００８６】
一方、図２では、外部電力供給源１１０の出力端に第１電力測定装置１７１を構成することを例として説明したが、第１電力測定装置１７１の第１電力量データは、第２電力量データ及び第３電力量データによって推定されることができるため、本実施形態では、第１電力量データを利用しなくても電力を監視することができる。
【００８７】
監視サーバ１０の制御部１２は、通信部１１を介して収集された第２電力測定装置１７２の第２電力量データを分析することができる（Ｓ６２０）。
【００８８】
この場合、第２電力量データは、分電盤１２０に印加される電力量に関する情報を含むことができる。
【００８９】
また、第２電力量データは、複数の電子機器１３０の総電力消費量、複数の電子機器１３０の総電力消費パターンを含むことができる。また、第２電力量データは、複数の電子機器１３０を構成する個々の電子機器の電力消費パターンを含むことができる。
【００９０】
監視サーバ１０の制御部１２は、通信部１１を介して収集された第３電力測定装置１７３の第３電力量データを分析することができる（Ｓ６３０）。
【００９１】
この場合、第３電力量データは、エネルギー貯蔵装置１４０の電力消費量及びエネルギー貯蔵装置１４０の電力消費パターンのうち少なくとも１つを含むことができる。
【００９２】
監視サーバ１０の制御部１２は、第２電力測定装置１７２で取得した第２電力量データと第３電力測定装置１７３で取得した第３電力量データを用いて、システムの全体の電力を監視することができる（Ｓ６４０）。
【００９３】
具体的には、制御部１２は、第２電力測定装置１７２で取得された第２電力量データを用いて、複数の電子機器１３０の総電力消費量、個々の電子機器が消費する電力量および個々の電子機器の動作状態情報のうち少なくとも１つを獲得することができる。また、制御部１２は、第３電力測定装置１７３で取得された第３電力量データを用いて、エネルギー貯蔵装置１４０が消費する電力量および動作状態情報を獲得することができる。この場合、ＮＩＬＭ（Ｎｏｎ−ｉｎｔｒｕｓｉｖｅ Ｌｏａｄ Ｍｏｎｉｔｏｒｉｎｇ）アルゴリズムを利用することができる。
【００９４】
また、制御部１２は、第２電力測定装置１７２で取得された第２電力量データと第３電力測定装置１７３で取得された第３電力量データを用いて、外部電力供給源１１０から印加される電力量を獲得することができる。具体的には、制御部１２は、第２電力量データに含まれる複数の電子機器１５０全体の消費電力量を第３電力量データに含まれるエネルギー貯蔵装置１４０の消費電力量と加算することにより、外部電力供給源１１０から流入される電力量を獲得することができる。
【００９５】
一方、監視サーバ１０の制御部１２は、第３電力測定装置１７３で取得された第３電力量データを用いて、エネルギー貯蔵装置１４０の動作状態を判断することができる（Ｓ６５０）。
【００９６】
具体的には、制御部１２は、エネルギー貯蔵装置１４０が第３電力量データに含まれたエネルギー貯蔵装置１４０の電力パターンを分析することにより、エネルギー貯蔵装置１４０の動作状態が充電モードであると判断することができる。
【００９７】
一方、制御部１２は、第２、第３電力量データを用いて獲得した監視結果及びエネルギー貯蔵装置１４０の動作状態情報を格納部１３に格納することができる（Ｓ６６０）。
【００９８】
図７は、エネルギー貯蔵装置１４０が放電モード（発電源）である場合、監視サーバ１０において第１電力測定装置１７１で取得された第１電力量データと第２電力測定装置１７２で取得された第２電力量データを用いて電力を監視する方法を説明するフローチャートである。
【００９９】
図７を参照すると、監視サーバ１０は、通信部１１を介して第１電力測定装置１７１、第２電力測定装置１７２から電力量データを収集することができる（Ｓ７１０）。
【０１００】
一方、図２では、エネルギー貯蔵装置１４０の入力端に第３電力測定装置１７３を構成することを例として説明したが、第３電力測定装置１７３の第３電力量データは、第１電力量データ及び第２電力量データによって推定されることができるため、本実施形態では、第３電力量データを利用しなくても電力を監視することができる。
【０１０１】
監視サーバ１０の制御部１２は、通信部１１を介して収集された第１電力測定装置１７１の第１電力量データを分析することができる（Ｓ７２０）。
【０１０２】
この場合、第１電力量データは、外部電力供給源１１０から印加される電力量に関する情報を含むことができる。
【０１０３】
監視サーバ１０の制御部１２は、通信部１１を介して収集された第２電力測定装置１７２の第２電力量データを分析することができる（Ｓ７３０）。
【０１０４】
この場合、第２電力量データは、分電盤１２０に印加される電力量に関する情報を含むことができる。また、第２電力量データは、複数の電子機器１３０の総電力消費量、複数の電子機器１３０の総電力消費パターン、および複数の電子機器１３０を構成する個々の電子機器の電力消費パターンを含むことができる。
【０１０５】
監視サーバ１０の制御部１２は、第１電力測定装置１７１で取得した第１電力量データと第２電力測定装置１７２で取得した第２電力量データを用いて、システムの全体の電力を監視することができる（Ｓ７４０）。
【０１０６】
具体的には、制御部１２は、第１電力測定装置１７１で取得された第１電力量データを用いて、外部電力供給源１１０から印加される電力量を獲得することができる。また、制御部１２は、第２電力測定装置１７２で取得された第２電力量データを用いて、複数の電子機器１３０の総電力消費量、個々の電子機器が消費する電力量および個々の電子機器の動作状態情報のうち少なくとも１つを獲得することができる。この場合、ＮＩＬＭ（Ｎｏｎ−ｉｎｔｒｕｓｉｖｅ Ｌｏａｄ Ｍｏｎｉｔｏｒｉｎｇ）アルゴリズムを利用することができる。
【０１０７】
また、制御部１２は、第１電力量データ及び第２電力量データを用いて、エネルギー貯蔵装置１４０の放電量を把握することができる。具体的には、制御部１２は、第２電力量データに含まれた複数の電子機器１３０の総電力消費量から第１電力量データに含まれた外部電力供給源１１０の供給電力を引く（ − ）ことにより、エネルギー貯蔵装置１４０の放電量を獲得することができる。
【０１０８】
一方、監視サーバ１０の制御部１２は、第１電力測定装置１７１で取得された第１電力量データと第２電力測定装置１７２で取得された第２電力量データを用いて、エネルギー貯蔵装置１４０の動作状態を判断することができる（Ｓ７５０）。具体的には、制御部１２は、第２電力量データに含まれた複数の電子機器１３０の総消費電力量が第１電力量データに含まれた外部電力供給源１１０から供給された電力量よりも大きい場合、エネルギー貯蔵装置１４０が放電モード、すなわち発電源として動作していると判断することができる。
【０１０９】
一方、本実施形態では、システム内の電力を監視した後、エネルギー貯蔵装置１４０の動作モードを判断すると説明したが、これに限定されない。具体的には、制御部１２は、第１電力量データ及び第２電力量データを用いて、エネルギー貯蔵装置１４０の動作状態が放電モードであることを判断した後、図７のアルゴリズムに基づいてシステム内の電力を監視することができる。
【０１１０】
一方、制御部１２は、第１、第２電力量データ、第１、第２電力量データを用いて獲得した監視結果及びエネルギー貯蔵装置１４０の動作状態情報のうち少なくとも１つを格納部１３に格納することができる（Ｓ７５０）。
【０１１１】
図８は、エネルギー貯蔵装置１４０が放電モードである場合、監視サーバ１０において第２電力測定装置１７２で取得された第２電力量データと第３電力測定装置１７３で取得された第３電力量データを用いて電力を監視する方法を説明するフローチャートである。
【０１１２】
図８を参照すると、監視サーバ１０は、通信部１１を介して第２電力測定装置１７２、第３電力測定装置１７３から電力量データを収集することができる（Ｓ８１０）。
【０１１３】
一方、図２では、外部電力供給源１１０の出力端に第１電力測定装置１７１を構成することを例として説明した。一方、第１電力測定装置１７１の第１電力量データは、第２電力量データ及び第３電力量データによって推定されることができるため、本実施形態では、第１電力量データを利用しなくても電力を監視することができる。
【０１１４】
監視サーバ１０の制御部１２は、通信部１１を介して収集された第２電力測定装置１７２の第２電力量データを分析することができる（Ｓ８２０）。
【０１１５】
この場合、第２電力量データは、分電盤１２０に印加される電力量に関する情報を含むことができる。
【０１１６】
また、第２電力量データは、複数の電子機器１３０の総電力消費量、複数の電子機器１３０の総電力消費パターン及び複数の電子機器１３０を構成する個々の電子機器の電力消費パターンを含むことができる。
【０１１７】
監視サーバ１０の制御部１２は、通信部１１を介して収集された第３電力測定装置１７３の第３電力量データを分析することができる。（Ｓ８３０）
【０１１８】
この場合、第３電力量データは、エネルギー貯蔵装置１４０で放電する電力量に関する情報を含むことができる。
【０１１９】
監視サーバ１０の制御部１２は 第２電力測定装置１７２で取得した第２電力量データと第３電力測定装置１７３で取得した第３電力量データを用いて、システムの全体の電力を監視することができる（Ｓ８４０）。
【０１２０】
具体的には、制御部１２は、第２電力測定装置１７２で取得された第２電力量データを用いて、複数の電子機器１３０の総電力消費量、複数の電子機器１３０を構成する個々の電子機器が消費する電力量および個々の電子機器の動作状態情報のうち少なくとも１つを獲得することができる。また、制御部１２は、第３電力測定装置１７３で取得された第３電力量データを用いて、エネルギー貯蔵装置１４０の放電量を獲得することができる。この場合、ＮＩＬＭ（Ｎｏｎ−ｉｎｔｒｕｓｉｖｅ Ｌｏａｄ Ｍｏｎｉｔｏｒｉｎｇ）アルゴリズムを利用することができる。
【０１２１】
一方、監視サーバ１０の制御部１２は、第３電力量データを用いてエネルギー貯蔵装置１４０の動作状態を判断することができる（Ｓ８５０）。具体的には、制御部１２は、第３電力量データに含まれたエネルギー貯蔵装置１４０に印加される電力量が負数の場合、エネルギー貯蔵装置１４０が放電モード、すなわち、発電源として動作していることを判断することができる。
【０１２２】
一方、本実施形態では、システム内の電力を監視した後、エネルギー貯蔵装置１４０の動作モードを判断すると説明したが、これに限定されない。具体的には、制御部１２は、第３電力量データを用いてエネルギー貯蔵装置１４０の動作状態が放電モードであることを判断した後、図８のアルゴリズムに基づいてシステム内の電力を監視することができる。
【０１２３】
一方、制御部１２は、第２、第３電力量データ、第２、第３電力量データを用いて獲得した監視結果及びエネルギー貯蔵装置１４０の動作状態情報のうち少なくとも１つを格納部１３に格納することができる（Ｓ８６０）。
【０１２４】
図９は、エネルギー貯蔵装置１４０が充電及びＡＣ ＰＡＳＳモードで動作する場合、監視サーバ１０において第１電力測定装置１７１で取得された第１電力量データを用いて電力を監視する方法を説明するフローチャートである。
【０１２５】
図９を参照すると、監視サーバ１０は、通信部１１を介して第１電力測定装置１７１から第１電力量データを収集することができる（Ｓ９１０）。
【０１２６】
一方、図２では、分電盤１２０の入力端に第２電力測定装置１７２を、エネルギー貯蔵装置１４０の入力端に第３電力測定装置１７３を構成することを例として説明したが、第２電力測定装置１７２の第２電力量データ及び第３電力測定装置１７３の第３電力量データによって推定されることができるため、本実施形態では、第２電力量データ及び第３電力量データを利用しなくても電力を監視することができる。
【０１２７】
監視サーバ１０の制御部１２は、通信部１１を介して収集された第１電力測定装置１７１の第１電力量データを分析することができる（Ｓ９２０）。
【０１２８】
この場合、第１電力量データは、外部電力供給源１１０から供給される電力量に関する情報を含むことができる。
【０１２９】
また、第１電力量データは、複数の電子機器１３０、エネルギー貯蔵装置１４０及びエネルギー貯蔵装置１４０に接続された電子機器１５０の総電力消費量、総電力消費パターンを含むことができる。
【０１３０】
また、第１電力量データは、複数の電子機器１３０を構成する個々の電子機器、エネルギー貯蔵装置１４０及びエネルギー貯蔵装置１４０に接続された電子機器１５０のそれぞれの電力消費パターンを含むことができる。
監視サーバ１０の制御部１２は、第１電力測定装置１７１で取得した第１電力量データを用いて、システムの全体の電力を監視することができる（Ｓ９３０）。
【０１３１】
具体的には、制御部１２は、第１電力測定装置１７１で取得された第１電力量データを用いて、外部電力供給源１１０から供給される電力量に関する情報を獲得することができる。また、制御部１２は、第１電力量データを用いて、複数の電子機器１３０を構成する個々の電子機器が消費する電力量や個々の電子機器の動作状態に関する情報を獲得することができる。また、制御部１２は、第１電力量データを用いて、エネルギー貯蔵装置１４０で消費する（つまり、エネルギー貯蔵装置１４０が貯蔵する）電力量に関する情報を獲得することができる。また、制御部１２は、第１電力量データを用いて、エネルギー貯蔵装置１４０に接続された電子機器１５０で消費する電力量に関する情報を獲得することができる。この場合、ＮＩＬＭ（Ｎｏｎ−ｉｎｔｒｕｓｉｖｅ Ｌｏａｄ Ｍｏｎｉｔｏｒｉｎｇ）アルゴリズムを利用することができる。
【０１３２】
一方、監視サーバ１０の制御部１２は、第１電力量データを用いて、エネルギー貯蔵装置１４０の動作状態を判断することができる（Ｓ９４０）。具体的には、制御部１２は、第１電力量データに含まれたエネルギー貯蔵装置１４０の電力使用パターンを分析して、エネルギー貯蔵装置１４０が充電モードで動作するかを判断し、第１電力量データに含まれたエネルギー貯蔵装置１４０に接続された電子機器１５０の電力使用パターンを分析して電子機器１５０が電力を消費するかを判断することにより、エネルギー貯蔵装置１４０が充電及びＡＣ ＰＡＳＳモードで動作するか判断することができる。
【０１３３】
一方、本実施形態では、システム内の電力を監視した後、エネルギー貯蔵装置１４０の動作モードを判断すると説明したが、これに限定されない。具体的には、制御部１２は、第１電力量データを用いてエネルギー貯蔵装置１４０の動作状態が充電及びＡＣ ＰＡＳＳモードであると判断した後、図９のアルゴリズムに基づいてシステム内の電力を監視することができる。
【０１３４】
図１０は、エネルギー貯蔵装置１４０が充電及びＡＣ ＰＡＳＳモードで動作する場合、監視サーバ１０において第２電力測定装置１７２で取得された第２電力量データと第３電力測定装置１７３で取得された第３電力量データを用いて電力を監視する方法を説明するフローチャートである。
【０１３５】
図１０を参照すると、監視サーバ１０は、通信部１１を介して第２電力測定装置１７２から第２電力量データを収集し、第３電力測定装置１７３から第３電力量データを収集することができる（Ｓ１０１０）。
【０１３６】
一方、図２では、外部電力供給源１１０の出力端に第１電力測定装置１７１を構成することを例として説明したが、第１電力測定装置１７１の電力量データは、第２電力測定装置１７２の第２電力量データ及び第３電力測定装置１７３の第３電力量データによって推定されることができるため、本実施形態では、第１電力量データを利用しなくても電力を監視することができる。
【０１３７】
監視サーバ１０の制御部１２は、通信部１１を介して収集された第２電力測定装置１７２の第２電力量データを分析することができる（Ｓ１０２０）。
この場合、第２電力量データは、分電盤１２０に印加される電力量に関する情報を含むことができる。
【０１３８】
また、第２電力量データは、複数の電子機器１３０の総電力消費量、複数の電子機器１３０の総電力消費パターン、および複数の電子機器１３０を構成する個々の電子機器の電力消費パターンを含むことができる。
【０１３９】
監視サーバ１０の制御部１２は、通信部１１を介して収集された第３電力測定装置１７３の第３電力量データを分析することができる（Ｓ１０３０）。
【０１４０】
この場合、第３電力量データは、エネルギー貯蔵装置１４０及びエネルギー貯蔵装置１４０に接続された電子機器１５０の総電力消費量を含むことができる。
【０１４１】
また、第３電力量データは、エネルギー貯蔵装置１４０の電力消費パターンやエネルギー貯蔵装置１４０に接続された電子機器１５０の電力消費パターンに関する情報を含むことができる。
【０１４２】
監視サーバ１０の制御部１２は、第２電力測定装置１７２で取得した第２電力量データ及び第３電力測定装置１７３で取得した第３電力量データを用いて、システムの全体の電力を監視することができる（Ｓ１０４０）。
【０１４３】
具体的には、制御部１２は、第２電力量データを用いて、複数の電子機器１３０の総電力消費量、個々の電子機器が消費する電力量および個々の電子機器の動作状態情報のうち少なくとも１つを獲得することができる。また、制御部１２は、第３電力量データを用いて、エネルギー貯蔵装置１４０の電力消費量（つまり、エネルギー貯蔵装置１４０の充電量）及びエネルギー貯蔵装置１４０に接続された電子機器１５０の電力消費量に関する情報を獲得することができる。この場合、ＮＩＬＭ（Ｎｏｎ−ｉｎｔｒｕｓｉｖｅ Ｌｏａｄ Ｍｏｎｉｔｏｒｉｎｇ）アルゴリズムを利用することができる。
【０１４４】
また、制御部１２は、第２電力量データ及び第３電力量データを用いて、外部電力供給源１１０から供給される電力量に関する情報を獲得することができる。具体的には、制御部１２は、第２電力量データを用いて取得した複数の電子機器１３０の総電力消費量と第３電力量データを用いて獲得したエネルギー貯蔵装置１４０及び電子機器１５０の電力消費量を加算することにより、外部電力供給源１１０から供給される電力量に関する情報を獲得することができる。
【０１４５】
一方、監視サーバ１０の制御部１２は、第３電力測定装置１７３で取得された第３電力量データを用いて、エネルギー貯蔵装置１４０の動作状態を判断することができる（Ｓ１０５０）。具体的には、制御部１２は、第３電力量データに含まれたエネルギー貯蔵装置１４０の電力消費パターンを分析し、エネルギー貯蔵装置１４０及びエネルギー貯蔵装置１４０に接続された電子機器１５０が電力を消費中であれば、エネルギー貯蔵装置１４０のモードが充電及びＡＣ ＰＡＳＳモードで動作すると判断することができる。
【０１４６】
一方、本実施形態では、システム内の電力を監視した後、エネルギー貯蔵装置１４０の動作モードを判断すると説明したが、これに限定されない。具体的には、制御部１２は、第３電力量データを用いてエネルギー貯蔵装置１４０の動作状態が充電及びＡＣ ＰＡＳＳモードであることを判断した後、図１０のアルゴリズムに基づいてシステム内の電力を監視することができる。
【０１４７】
一方、制御部１２は、第２、第３電力量データ、第２、第３電力量データを用いて獲得した監視結果及びエネルギー貯蔵装置１４０の動作状態情報のうち少なくとも１つを格納部１３に格納することができる（Ｓ１０６０）。
このように、本実施形態は、第１電力測定装置１７１、第２電力測定装置１７２及び第３電力測定装置１７３を利用して、外部電力供給源１１０からの供給電力量、エネルギー貯蔵装置１４０の充電量及び放電量、複数の電子機器１３０の総電力消費量、個々の電子機器が消費する電力量、個々の電子機器の動作状態情報などを全て把握することができるので、電力の生産及び消費に対する総合的な監視を可能にする。
【０１４８】
また、本実施形態は、第１電力測定装置１７１、第２電力測定装置１７２及び第３電力測定装置１７３のうち１つ以上が存在しない場合でも、外部電力供給源１１０からの供給電力量やエネルギー貯蔵装置１４０で使用される電力量の推定が可能であるため、複数の電力測定装置のうちいずれか１つの故障や修理に関係なく、電力の生産及び消費に対する総合的な監視が可能になる。
【０１４９】
また、本実施形態は、第１電力測定装置１７１、第２電力測定装置１７２及び第３電力測定装置１７３を全部利用することにより、誤差を最小化してシステム内の電力を監視することができる。
【０１５０】
図１１は、本発明の別の実施形態に係る負荷電力監視システムの構成を示すブロック図である。
【０１５１】
図１１を参照すると、本発明の別の実施形態に係る負荷電力監視システムは、監視サーバ１０、外部電力供給源１１０、分電盤１２０、電子機器１３０及びエネルギー貯蔵装置１４０を含む。特に、外部電力供給源１１０、分電盤１２０、エネルギー貯蔵装置１４０およびエネルギー貯蔵装置１４０に接続される電子機器１５０の出力端または入力端には、上記の装置に流入または出力される電力量データを取得するための電力測定装置１７１，１７２，１７３，１７４を含んで構成することができる。
【０１５２】
監視サーバ１０は、電力測定装置１７１，１７２，１７３，１７４から測定された負荷及び電力源の電力消費量、流入量、または電力消費パターンを含む電力量データを取得することができる。そして、監視サーバ１０は取得されたデータに基づいてシステム全体の供給電力、システム全体の消費電力、システム内の個々の負荷の消費電力及び動作状態を監視し出力することができる。
【０１５３】
外部電力供給源１１０は発電所などの外部発電源であって、前記外部電力供給源１１０から流入される電力は分電盤１２０を介して宅内の電子機器１３０を含む様々な負荷に供給されることができる。特に、外部電力供給源１１０から流入される電力は、分電盤１２０を介してエネルギー貯蔵装置１４０に印加されてエネルギー貯蔵装置１４０を充電するために使用することができる。また、外部電力供給源１１０から流入される電力は、分電盤１２０及びエネルギー貯蔵装置１４０を介してエネルギー貯蔵装置１４０に接続された電子機器１５０に供給されることができる。
【０１５４】
分電盤１２０は、分電盤１２０に流入される電力を宅内の電子機器１３０のような様々な負荷や、エネルギー貯蔵装置１４０、エネルギー貯蔵装置１４０に接続された電子機器１５０に分配することができる。
【０１５５】
エネルギー貯蔵装置１４０（ＥＳＳ：Ｅｎｅｒｇｙ Ｓｔｏｒａｇｅ Ｓｙｓｔｅｍ）は、分電盤１２０の出力端に接続され、外部電力供給源１１０から流入される電力を貯蔵し、貯蔵された電力を一定時点（またはユーザーの要求時点）にエネルギー貯蔵装置１４０の一端に接続される電子機器１５０に印加されるようにすることができる。例えば、深夜時間帯のように電力消費が少ないか電力使用料金が安価な時間帯にエネルギー貯蔵装置１４０に電力を貯蔵し、電力需要量が急増したり、電力使用料金が高い時間帯に前記貯蔵された電力を一端に接続される電子機器１５０に放電することができる。
【０１５６】
外部電力供給源１１０の出力端、分電盤１２０の入力端およびエネルギー貯蔵装置１４０の入力端、エネルギー貯蔵装置１４０に接続された電子機器１５０の入力端には、それぞれ電力測定装置１７１，１７２，１７３，１７４を接続して構成することができる。
【０１５７】
外部電力供給源１１０の出力端に接続される第１電力測定装置１７１は、外部電力供給源１１０から供給される電力量を測定することができる少なくとも１つのモジュールで構成されることができる。
【０１５８】
また、第１電力測定装置１７１は、外部電力供給源１１０から流入される電力を電子機器１３０、１５０のような複数の負荷やエネルギー貯蔵装置１４０に供給する場合、複数の負荷及びエネルギー貯蔵装置１４０における全体消費電力量および全体電力の消費パターンを測定することができる少なくとも１つのモジュールで構成されることができる。
【０１５９】
また、第１電力測定装置１７１は、複数の負荷それぞれの電力の消費パターン、そしてエネルギー貯蔵装置１４０の消費パターンを測定することができる。これらの電力の消費パターンは、後にＮＩＬＭ（Ｎｏｎ−ｉｎｔｒｕｓｉｖｅ Ｌｏａｄ Ｍｏｎｉｔｏｒｉｎｇ）アルゴリズムを用いて分析されることにより、複数の負荷それぞれが消費する電力量、複数の負荷それぞれの動作状態情報、エネルギー貯蔵装置１４０が消費する電力量およびエネルギー貯蔵装置１４０の動作状態情報のうち少なくとも１つを獲得するために使用することができる。
【０１６０】
分電盤１２０の入力端に接続される第２電力測定装置１７２は、外部電力供給源１１０から流入される電力を電子機器１３０、１５０のような複数の負荷やエネルギー貯蔵装置１４０に供給する場合、複数の負荷及びエネルギー貯蔵装置１４０における全体消費電力量及び全体電力の消費パターンを測定することができる少なくとも１つのモジュールで構成されることができる。
【０１６１】
また、第２電力測定装置１７２は、複数の負荷それぞれの電力の消費パターン、そしてエネルギー貯蔵装置１４０の消費パターンを測定することができる。このような電力の消費パターンは、後にＮＩＬＭ（Ｎｏｎ−ｉｎｔｒｕｓｉｖｅ Ｌｏａｄ Ｍｏｎｉｔｏｒｉｎｇ）アルゴリズムを用いて分析されることにより、複数の負荷それぞれが消費する電力量、複数の負荷それぞれの動作状態情報、エネルギー貯蔵装置１４０が消費する電力量およびエネルギー貯蔵装置１４０の動作状態情報のうち少なくとも１つを獲得するために使用することができる。
【０１６２】
一方、エネルギー貯蔵装置１４０の入力端に接続される第３電力測定装置１７３は、エネルギー貯蔵装置１４０に貯蔵される電力量やエネルギー貯蔵装置１４０で放電する電力量を測定することができる少なくとも１つのモジュールで構成されることができる。
【０１６３】
また、第３電力測定装置１７３は、エネルギー貯蔵装置１４０の電力の消費パターンを測定することができる少なくとも１つのモジュールで構成されることができる。このようなエネルギー貯蔵装置１４０の電力の消費パターンは、後にＮＩＬＭ（Ｎｏｎ−ｉｎｔｒｕｓｉｖｅ Ｌｏａｄ Ｍｏｎｉｔｏｒｉｎｇ）アルゴリズムを用いて分析されることにより、エネルギー貯蔵装置１４０に貯蔵されたり、エネルギー貯蔵装置１４０で放電する電力量、エネルギー貯蔵装置１４０の動作状態情報のうち少なくとも１つを獲得するために使用することができる。
【０１６４】
また、第３電力測定装置１７３は、エネルギー貯蔵装置１４０に接続された電子機器１５０の電力の消費パターンを測定することができる。このような電子機器１５０の電力の消費パターンは、後にＮＩＬＭ（Ｎｏｎ−ｉｎｔｒｕｓｉｖｅ Ｌｏａｄ Ｍｏｎｉｔｏｒｉｎｇ）アルゴリズムを用いて分析されることにより、電子機器１５０が消費する電力量、電子機器１５０の動作状態情報のうち少なくとも１つを獲得するために使用することができる。
【０１６５】
一方、エネルギー貯蔵装置１４０に接続された電子機器１５０の入力端に接続される第４電力測定装置１７４は、エネルギー貯蔵装置１４０に接続された電子機器１５０の消費電力量を測定することができる。また、第４電力測定装置１７４は、エネルギー貯蔵装置１４０に接続された電子機器１５０の電力消費パターンを測定することができる。このような電子機器１５０の電力の消費パターンは、後にＮＩＬＭ（Ｎｏｎ−ｉｎｔｒｕｓｉｖｅ Ｌｏａｄ Ｍｏｎｉｔｏｒｉｎｇ）アルゴリズムを用いて分析される。それから、電子機器１５０が消費する電力量、電子機器１５０の動作状態情報のうち少なくとも１つを獲得するために使用することができる。
【０１６６】
上記のような電力測定装置１７１〜１７４を含む電力監視システムの構成に基づいて、図１２〜図１９を参照して一実施形態に係る負荷電力監視方法について詳細に説明する。以下の監視方法は、データが収集される順序を限定して説明したが、これはデータ収集の順序とは無関係に、各電力測定装置１７１〜１７４からデータが収集されることができる。
【０１６７】
図１２〜図１９は、本発明の実施形態に係る電力監視システムの電力監視方法を説明するためのフローチャートである。
【０１６８】
図１２は、エネルギー貯蔵装置１４０がＡＣ ＰＡＳＳモードで動作する場合、監視サーバ１０において第１電力測定装置１７１で取得された第１電力量データを用いて電力を監視する方法を説明するフローチャートである。
【０１６９】
図１２を参照すると、監視サーバ１０は、通信部１１を介して電力量データを収集することができる（Ｓ１２１０）。具体的には、監視サーバ１０は外部電力供給源１１０の出力端に構成される第１電力測定装置１７１から第１電力量データを受信することができる。
【０１７０】
一方、図１１では、分電盤１２０の入力端に第２電力測定装置１７２を、エネルギー貯蔵装置１４０の入力端に第３電力測定装置１７３、電子機器１５０の入力端に第４電力測定装置１７４を構成することを例として説明した。一方、第２電力測定装置１７２の第２電力量データ、第３電力測定装置１７３の第３電力量データ及び第４電力測定装置１７４の第４電力量データは、第１電力量データによって推定されることができるため、本実施形態では、第２、第３、第４電力量データを利用しなくても電力を監視することができる。
【０１７１】
監視サーバ１０の制御部１２は、通信部１１を介して収集された第１電力測定装置１７１の第１電力量データを分析することができる（Ｓ１２２０）。
【０１７２】
この場合、第１電力量データには、外部電力供給源１１０から印加された電力量に関する情報が含まれることができる。
【０１７３】
また、第１電力量データは、複数の電子機器１３０、エネルギー貯蔵装置１４０及びエネルギー貯蔵装置１４０に接続された電子機器１５０の総電力消費量及び総電力消費パターンを含むことができる。
【０１７４】
また、第１電力量データは、複数の電子機器１３０を構成する個々の電子機器の電力消費パターン、エネルギー貯蔵装置１４０の電力消費パターンまたはエネルギー貯蔵装置１４０に接続された電子機器１５０の電力消費パターンを含むことができる。
【０１７５】
監視サーバ１０の制御部１２は、第１電力測定装置１７１で取得された第１電力量データに基づいてシステムの電力を監視することができる（Ｓ１２３０）。
【０１７６】
具体的には、制御部１２は、第１電力測定装置１７１で取得された第１電力量データを用いて、外部電力供給源１１０から印加される電力量を獲得することができる。また、制御部１２は、第１電力測定装置１７１で取得された第１電力量データを用いて、複数の電子機器１３０を構成する個々の電子機器の消費電力量および個々の電子機器の動作状態情報のうち少なくとも１つを獲得することができる。また、制御部１２は、第１電力測定装置１７１で取得された第１電力量データを用いて、エネルギー貯蔵装置１４０に接続された電子機器１５０が消費する電力量および動作状態情報のうち少なくとも１つを獲得することができる。この場合、ＮＩＬＭ（Ｎｏｎ−ｉｎｔｒｕｓｉｖｅ Ｌｏａｄ Ｍｏｎｉｔｏｒｉｎｇ）アルゴリズムを利用することができる。
【０１７７】
一方、監視サーバ１０の制御部１２は、第１電力測定装置１７１で取得された第１電力量データを用いて、エネルギー貯蔵装置１４０の動作状態を判断することができる（Ｓ１２４０）。具体的には、エネルギー貯蔵装置１４０がＡＣ ＰＡＳＳモードの場合、エネルギー貯蔵装置１４０では充電される電力や放電される電力がないため、制御部１２は、これを取得することによりエネルギー貯蔵装置１４０の動作状態がＡＣ ＰＡＳＳモードであると判断することができる。
【０１７８】
一方、本実施形態では、システム内の電力を監視した後、エネルギー貯蔵装置１４０の動作モードを判断すると説明したが、これに限定されない。具体的には、制御部１２は、第１電力量データを用いてエネルギー貯蔵装置１４０で充電されたり放電される電力がなければ、エネルギー貯蔵装置１４０の動作状態がＡＣ ＰＡＳＳモードであることを判断した後、図１２のアルゴリズムに基づいてシステム内の電力を監視することができる。
【０１７９】
一方、制御部１２は、第１電力量データ、第１電力量データを用いて獲得した監視結果及びエネルギー貯蔵装置１４０の動作状態情報を格納部１３に格納することができる（Ｓ１２５０）。
【０１８０】
図１３は、エネルギー貯蔵装置１４０がＡＣ ＰＡＳＳモードで動作する場合、監視サーバ１０において第２電力測定装置１７２で取得された第２電力量データを用いて電力を監視する方法を説明するフローチャートである。
【０１８１】
一方、本実施形態において、第２電力測定装置１７２で測定した第２電力量データは、第１電力測定装置１７１で測定した第１電力量データと同じ値を持つことができる。したがって、図１３で説明する第２電力量データを用いた電力監視方法は、図１２で説明する第１電力量データを用いた電力監視方法がそのまま適用することができる。
【０１８２】
図１４は、エネルギー貯蔵装置１４０が充電モードで動作する場合、監視サーバ１０において第１電力測定装置１７１で取得された第１電力量データを用いて電力を監視する方法を説明するフローチャートである。
【０１８３】
図１４を参照すると、監視サーバ１０は、通信部１１を介して電力量データを収集することができる（Ｓ１４１０）。具体的には、監視サーバ１０は外部電力供給源１１０の出力端に構成される第１電力測定装置１７１から第１電力量データを受信することができる。
【０１８４】
一方、図１１では、分電盤１２０の入力端に第２電力測定装置１７２を、エネルギー貯蔵装置１４０の入力端に第３電力測定装置１７３、電子機器１５０の入力端に第４電力測定装置１７４を構成することを例として説明した。一方、第２電力測定装置１７２の第２電力量データ、第３電力測定装置１７３の第３電力量データ及び第４電力測定装置１７４の第４電力量データは、第１電力量データによって推定されることができるため、本実施形態では、第２、第３、第４電力量データを利用しなくても電力を監視することができる。
【０１８５】
監視サーバ１０の制御部１２は、通信部１１を介して収集された第１電力測定装置１７１の第１電力量データを分析することができる（Ｓ１４２０）。
この場合、第１電力量データには、外部電力供給源１１０から印加された電力量に関する情報が含まれることができる。
【０１８６】
また、第１電力量データは、複数の電子機器１３０、エネルギー貯蔵装置１４０及びエネルギー貯蔵装置１４０に接続された電子機器１５０の総電力消費量及び総電力消費パターンを含むことができる。
【０１８７】
また、第１電力量データは、複数の電子機器１３０を構成する個々の電子機器の電力消費パターンやエネルギー貯蔵装置１４０の電力消費パターンを含むことができる。また、第１電力量データは、エネルギー貯蔵装置１４０に接続された電子機器１５０の電力消費パターンを含むことができる。ただし、本実施形態では、エネルギー貯蔵装置１４０が充電モードで動作するため、電子機器１５０の電力消費量は０になる。
【０１８８】
監視サーバ１０の制御部１２は、第１電力測定装置１７１で取得された第１電力量データに基づいてシステムの電力を監視することができる（Ｓ１４３０）。
【０１８９】
具体的には、制御部１２は、第１電力測定装置１７１で取得された第１電力量データを用いて、外部電力供給源１１０から印加される電力量を獲得することができる。また、制御部１２は、第１電力測定装置１７１で取得された第１電力量データを用いて、複数の電子機器１３０を構成する個々の電子機器の消費電力量および個々の電子機器の動作状態情報のうち少なくとも１つを獲得することができる。また、制御部１２は、第１電力測定装置１７１で取得された第１電力量データを用いて、エネルギー貯蔵装置１４０が消費する電力量および動作状態情報のうち少なくとも１つを獲得することができる。この場合、ＮＩＬＭ（Ｎｏｎ−ｉｎｔｒｕｓｉｖｅ Ｌｏａｄ Ｍｏｎｉｔｏｒｉｎｇ）アルゴリズムを利用することができる。
【０１９０】
一方、監視サーバ１０の制御部１２は、第１電力測定装置１７１で取得された第１電力量データを用いて、エネルギー貯蔵装置１４０の動作状態を判断することができる（Ｓ１４４０）。具体的には、第１電力量データには、エネルギー貯蔵装置１４０の電力消費パターンが含まれることができる。したがって、制御部１２は、エネルギー貯蔵装置１４０の電力消費パターンを分析することにより、エネルギー貯蔵装置１４０が充電モードで動作すると判断することができる。
【０１９１】
一方、本実施形態では、システム内の電力を監視した後、エネルギー貯蔵装置１４０の動作モードを判断すると説明したが、これに限定されない。具体的には、制御部１２は、第１電力量データを用いてエネルギー貯蔵装置１４０の動作状態が充電モードであることを判断した後、図１４のアルゴリズムに基づいてシステム内の電力を監視することができる。
【０１９２】
一方、制御部１２は、第１電力量データ、第１電力量データを用いて獲得した監視結果及びエネルギー貯蔵装置１４０の動作状態情報を格納部１３に格納することができる（Ｓ１４５０）。
【０１９３】
図１５は、エネルギー貯蔵装置１４０が充電モードで動作する場合、監視サーバ１０において第２電力測定装置１７２で取得された第２電力量データを用いて電力を監視する方法を説明するフローチャートである。
【０１９４】
一方、本実施形態において、第２電力測定装置１７２で測定した第２電力量データは、第１電力測定装置１７１で測定した第１電力量データと同じ値を持つことができる。したがって、図１５で説明する第２電力量データを用いた電力監視方法は、図１４で説明する第１電力量データを用いた電力監視方法がそのまま適用することができる。
【０１９５】
図１６は、エネルギー貯蔵装置１４０が放電モード（発電源）である場合、監視サーバ１０において第１電力測定装置１７１で取得された第１電力量データ、第３電力測定装置１７３で取得された第３電力量データ及び第４電力測定装置１７４で取得された第４電力量データを用いて電力を監視する方法を説明するフローチャートである。
【０１９６】
図１６を参照すると、監視サーバ１０は、通信部１１を介して第１電力測定装置１７１、第３電力測定装置１７３及び第４電力測定装置１７４から電力量データを収集することができる（Ｓ１６１０）。
【０１９７】
一方、図１１では、分電盤１２０の入力端に第２電力測定装置１７２を構成することを例として説明したが、第２電力測定装置１７２の第２電力量データは、第１電力量データ、第３電力量データ及び第４電力量データによって推定することができるため、本実施形態では、第２電力量データを利用しなくても電力を監視することができる。
【０１９８】
監視サーバ１０の制御部１２は、通信部１１を介して収集された第１電力測定装置１７１の第１電力量データを分析することができる（Ｓ１６２０）。
【０１９９】
この場合、第１電力量データは、外部電力供給源１１０から印加される電力量に関する情報を含むことができる。また、第１電力量データは、複数の電子機器１３０を構成する個々の電子機器の電力消費パターンを含むことができる。
【０２００】
監視サーバ１０の制御部１２は、通信部１１を介して収集された第３電力測定装置１７３の第３電力量データを分析することができる（Ｓ１６３０）。
【０２０１】
この場合、第３電力量データは、エネルギー貯蔵装置１４０に印加される電力量に関する情報を含むことができる。
【０２０２】
監視サーバ１０の制御部１２は、通信部１１を介して収集された第４電力測定装置１７４の第４電力量データを分析することができる（Ｓ１６４０）。
【０２０３】
この場合、第４電力量データは、エネルギー貯蔵装置１４０に接続された電子機器１５０の消費電力量またはエネルギー貯蔵装置１４０に接続された電子機器１５０の電力消費パターンに関する情報を含むことができる。
【０２０４】
監視サーバ１０の制御部１２は、第１電力測定装置１７１で取得した第１電力量データ、第３電力測定装置１７３で取得した第３電力量データ及び第４電力測定装置１７４で取得した第４電力量データを用いて、システムの全体の電力を監視することができる（Ｓ１６５０）。
【０２０５】
具体的には、制御部１２は、第１電力測定装置１７１で取得された第１電力量データを用いて、外部電力供給源１１０から印加される電力量を獲得することができる。また、制御部１２は、第１電力測定装置１７１で取得された第１電力量データを用いて、複数の電子機器１３０を構成する個々の電子機器の消費電力量および個々の電子機器の動作状態情報のうち少なくとも１つを獲得することができる。また、制御部１２は、第４電力測定装置１７４で取得された第４電力量データを用いて、エネルギー貯蔵装置１４０に接続された電子機器１５０の消費電力量を獲得することができる。また、制御部１２は、第４電力量データに含まれたエネルギー貯蔵装置１４０に接続された電子機器１５０の消費電力量を第３電力量データに含まれたエネルギー貯蔵装置１４０に印加される電力量で減算（−）することにより、エネルギー貯蔵装置１４０の放電量を獲得することができる。この場合、ＮＩＬＭ（Ｎｏｎ−ｉｎｔｒｕｓｉｖｅ Ｌｏａｄ Ｍｏｎｉｔｏｒｉｎｇ）アルゴリズムを利用することができる。
【０２０６】
一方、監視サーバ１０の制御部１２は、第３電力量データ及び第４電力量データを用いて、エネルギー貯蔵装置１４０の動作状態を判断することができる（Ｓ１６６０）。具体的には、制御部１２は、第４電力量データに含まれたエネルギー貯蔵装置１４０に接続された電子機器１５０の消費電力量を第３電力量データに含まれたエネルギー貯蔵装置１４０に印加される電力量で減算した値が正数の場合、エネルギー貯蔵装置１４０が放電モード、すなわち、発電源として動作していると判断することができる。
【０２０７】
一方、本実施形態では、システム内の電力を監視した後、エネルギー貯蔵装置１４０の動作モードを判断すると説明したが、これに限定されない。具体的には、制御部１２は、第３電力量データ及び第４電力量データを用いて、エネルギー貯蔵装置１４０の動作状態が放電モードであることを判断した後、図１６のアルゴリズムに基づいてシステム内の電力を監視することができる。
【０２０８】
一方、制御部１２は、第１、第３、第４電力量データ、第１、第３、第４電力量データを用いて獲得した監視結果及びエネルギー貯蔵装置１４０の動作状態情報のうち少なくとも１つを格納部１３に格納することができる（Ｓ１６７０）。
【０２０９】
図１７は、エネルギー貯蔵装置１４０が放電モード（発電源）である場合、監視サーバ１０において第２電力測定装置１７２で取得された第２電力量データ、第３電力測定装置１７３で取得された第３電力量データ及び第４電力測定装置１７４で取得された第４電力量データを用いて電力を監視する方法を説明するフローチャートである。
【０２１０】
一方、本実施形態において、第２電力測定装置１７２で測定した第２電力量データは、第１電力測定装置１７１で測定した第１電力量データと同じ値を持つことができる。したがって、図１７で説明する第２、第３、第４電力量データを利用した電力監視方法は、図１６で説明する第１、第３、第４電力量データを利用した電力監視方法がそのまま適用されることができる。
【０２１１】
図１８は、エネルギー貯蔵装置１４０が充電及びＡＣ ＰＡＳＳモードで動作する場合、監視サーバ１０において第１電力測定装置１７１で取得された第１電力量データを用いて電力を監視する方法を説明するフローチャートである。
【０２１２】
図１８を参照すると、監視サーバ１０は、通信部１１を介して第１電力測定装置１７１から第１電力量データを収集することができる（Ｓ１８１０）。
【０２１３】
一方、図１１では、分電盤１２０の入力端に第２電力測定装置１７２を、エネルギー貯蔵装置１４０の入力端に第３電力測定装置１７３を、エネルギー貯蔵装置１４０に接続された電子機器１５０の入力端に第４電力測定装置１７４を構成することを例として説明した。一方、第２電力測定装置１７２の第２電力量データ、第３電力測定装置１７３の第３電力量データ及び第４電力測定装置１７４の第４電力量データは、第１電力量データによって推定されることができるため、本実施形態では、第２電力量データ、第３電力量データ及び第４電力量データを利用しなくても電力を監視することができる。
【０２１４】
監視サーバ１０の制御部１２は、通信部１１を介して収集された第１電力測定装置１７１の第１電力量データを分析することができる（Ｓ１８２０）。
【０２１５】
この場合、第１電力量データは、外部電力供給源１１０から供給される電力量に関する情報を含むことができる。
【０２１６】
また、第１電力量データは、複数の電子機器１３０、エネルギー貯蔵装置１４０及びエネルギー貯蔵装置１４０に接続された電子機器１５０の総電力消費量、総電力消費パターンを含むことができる。
【０２１７】
また、第１電力量データは、複数の電子機器１３０を構成する個々の電子機器、エネルギー貯蔵装置１４０及びエネルギー貯蔵装置１４０に接続された電子機器１５０のそれぞれの電力消費パターンを含むことができる。
【０２１８】
監視サーバ１０の制御部１２は、第１電力測定装置１７１で取得した第１電力量データを用いて、システムの全体の電力を監視することができる（Ｓ１８３０）。
【０２１９】
具体的には、制御部１２は、第１電力測定装置１７１で取得された第１電力量データを用いて、外部電力供給源１１０から供給される電力量に関する情報を獲得することができる。また、制御部１２は、第１電力量データを用いて、複数の電子機器１３０を構成する個々の電子機器が消費する電力量や個々の電子機器の動作状態に関する情報を獲得することができる。また、制御部１２は、第１電力量データを用いて、エネルギー貯蔵装置１４０で消費する（つまり、エネルギー貯蔵装置１４０が貯蔵する）電力量に関する情報を獲得することができる。また、制御部１２は、第１電力量データを用いて、エネルギー貯蔵装置１４０に接続された電子機器１５０で消費する電力量に関する情報を獲得することができる。この場合、ＮＩＬＭ（Ｎｏｎ−ｉｎｔｒｕｓｉｖｅ Ｌｏａｄ Ｍｏｎｉｔｏｒｉｎｇ）アルゴリズムを利用することができる。
【０２２０】
一方、監視サーバ１０の制御部１２は、第１電力量データを用いて、エネルギー貯蔵装置１４０の動作状態を判断することができる（Ｓ１８４０）。具体的には、制御部１２は、第１電力量データに含まれたエネルギー貯蔵装置１４０の電力使用パターンを分析して、エネルギー貯蔵装置１４０が充電モードで動作するかを判断する。次に、第１電力量データに含まれたエネルギー貯蔵装置１４０に接続された電子機器１５０の電力使用パターンを分析して電子機器１５０が電力を消費するかを判断することにより、エネルギー貯蔵装置１４０が充電およびＡＣ ＰＡＳＳモードで動作するか判断することができる。
【０２２１】
一方、本実施形態では、システム内の電力を監視した後、エネルギー貯蔵装置１４０の動作モードを判断すると説明したが、これに限定されない。具体的には、制御部１２は、第１電力量データを用いてエネルギー貯蔵装置１４０の動作状態が充電及びＡＣ ＰＡＳＳモードであると判断した後、図１８のアルゴリズムに基づいてシステム内の電力を監視することができる。
【０２２２】
一方、本実施形態では、第２電力測定装置１７２で測定した第２電力量データは、第１電力測定装置１７１で測定した第１電力量データと同じ値を持つことができる。したがって、本実施形態で説明した第１電力量データを用いた電力監視方法は、第１電力量データの代わりに第２電力量データを利用する方式でも実現することができる。
【０２２３】
図１９は、エネルギー貯蔵装置１４０が充電及びＡＣ ＰＡＳＳモードで動作する場合、監視サーバ１０において第２電力測定装置１７２で取得された第２電力量データと第３電力測定装置１７３で取得された第３電力量データを用いて電力を監視する方法を説明するフローチャートである。
【０２２４】
図１９を参照すると、監視サーバ１０は、通信部１１を介して第２電力測定装置１７２から第２電力量データを収集し、第３電力測定装置１７３から第３電力量データを収集することができる（Ｓ１９１０）。
【０２２５】
一方、図１１では、外部電力供給源１１０の出力端に第１電力測定装置１７１を、電子機器１５０の入力端に第４電力測定装置１７４を構成することを例として説明した。一方、第１電力測定装置１７１の電力量データ及び第４電力測定装置１７４の電力量データは、第２電力測定装置１７２の第２電力量データ及び第３電力測定装置１７３の第３電力量データによって推定されることができるため、本実施形態では、第１、第４電力量データを利用しなくても電力を監視することができる。
【０２２６】
監視サーバ１０の制御部１２は、通信部１１を介して収集された第２電力測定装置１７２の第２電力量データを分析することができる（Ｓ１９２０）。
この場合、第２電力量データは、分電盤１２０に印加される電力量に関する情報を含むことができる。
【０２２７】
また、第２電力量データは、複数の電子機器１３０の総電力消費量、複数の電子機器１３０の総電力消費パターン、および複数の電子機器１３０を構成する個々の電子機器の電力消費パターンを含むことができる。
【０２２８】
監視サーバ１０の制御部１２は、通信部１１を介して収集された第３電力測定装置１７３の第３電力量データを分析することができる（Ｓ１９３０）。
【０２２９】
この場合、第３電力量データは、エネルギー貯蔵装置１４０及びエネルギー貯蔵装置１４０に接続された電子機器１５０の総電力消費量を含むことができる。
【０２３０】
また、第３電力量データは、エネルギー貯蔵装置１４０の電力消費パターンやエネルギー貯蔵装置１４０に接続された電子機器１５０の電力消費パターンに関する情報を含むことができる。
【０２３１】
監視サーバ１０の制御部１２は、第２電力測定装置１７２で取得した第２電力量データ及び第３電力測定装置１７３で取得した第３電力量データを用いて、システムの全体の電力を監視することができる（Ｓ１９４０）。
【０２３２】
具体的には、制御部１２は、第２電力量データを用いて、複数の電子機器１３０の総電力消費量、個々の電子機器が消費する電力量および個々の電子機器の動作状態情報のうち少なくとも１つを獲得することができる。また、制御部１２は、第３電力量データを用いて、エネルギー貯蔵装置１４０の電力消費量（つまり、エネルギー貯蔵装置１４０の充電量）及びエネルギー貯蔵装置１４０に接続された電子機器１５０の電力消費量に関する情報を取得することができる。この場合、ＮＩＬＭ（Ｎｏｎ−ｉｎｔｒｕｓｉｖｅ Ｌｏａｄ Ｍｏｎｉｔｏｒｉｎｇ）アルゴリズムを利用することができる。
【０２３３】
また、制御部１２は、第２電力量データ及び第３電力量データを用いて、外部電力供給源１１０から供給される電力量に関する情報を取得することができる。具体的には、制御部１２は、第２電力量データを用いて取得した複数の電子機器１３０の総電力消費量と第３電力量データを用いて獲得したエネルギー貯蔵装置１４０及び電子機器１５０の電力消費量とを加えることにより、外部電力供給源１１０から供給される電力量に関する情報を取得することができる。
【０２３４】
一方、監視サーバ１０の制御部１２は、第３電力測定装置１７３で取得された第３電力量データを用いて、エネルギー貯蔵装置１４０の動作状態を判断することができる（Ｓ１９５０）。具体的には、制御部１２は、第３電力量データに含まれたエネルギー貯蔵装置１４０の電力消費パターンを分析し、エネルギー貯蔵装置１４０及びエネルギー貯蔵装置１４０に接続された電子機器１５０が電力を消費中であれば、エネルギー貯蔵装置１４０のモードが充電及びＡＣ ＰＡＳＳモードで動作すると判断することができる。
【０２３５】
一方、本実施形態では、システム内の電力を監視した後、エネルギー貯蔵装置１４０の動作モードを判断すると説明したが、これに限定されない。具体的には、制御部１２は、第３電力量データを用いてエネルギー貯蔵装置１４０の動作状態が充電及びＡＣ ＰＡＳＳモードであることを判断した後、図１９のアルゴリズムに基づいてシステム内の電力を監視することができる。
【０２３６】
一方、制御部１２は、第２、第３電力量データ、第２、第３電力量データを用いて獲得した監視結果及びエネルギー貯蔵装置１４０の動作状態情報のうち少なくとも１つを格納部１３に格納することができる（Ｓ１９６０）。
【０２３７】
このように、本実施形態は、第１電力測定装置１７１、第２電力測定装置１７２、第３電力測定装置１７３及び第４電力測定装置１７４を利用して、外部電力供給源１１０からの供給電力量、エネルギー貯蔵装置１４０の充電量及び放電量、複数の電子機器１３０の総電力消費量、個々の電子機器が消費する電力量、個々の電子機器の動作状態情報などを把握することができるため、電力の生産及び消費に対する総合的な監視を可能にする。
【０２３８】
また、本実施形態は、第１電力測定装置１７１、第２電力測定装置１７２、第３電力測定装置１７３及び第４電力測定装置１７４のうち１つ以上が存在しない場合でも、外部電力供給源１１０からの供給電力量やエネルギー貯蔵装置１４０で使用される電力量の推定が可能である。したがって、複数の電力測定装置のうちいずれか１つの故障や修理に関係なく、電力の生産及び消費に対する総合的な監視を可能にする。
【０２３９】
また、本実施形態は、第１電力測定装置１７１、第２電力測定装置１７２、第３電力測定装置１７３及び第４電力測定装置１７４を全て利用することにより、誤差を最小化してシステム内の電力を監視することができる。
【０２４０】
図２１は、本発明の実施形態に係る電力監視結果の出力動作フローチャートであり、図２２は、本発明の実施形態に係る電力監視結果の出力を例示する図である。
【０２４１】
図２１及び図２２を参照して本発明の実施形態に係る監視サーバ１０の格納部１３に格納された電力監視結果を出力するための動作を詳細に説明する。
【０２４２】
図２１及び図２２を参照すると、監視サーバ１０の制御部１２は、本発明の一実施形態、別の実施形態及びさらに別の実施形態に従って測定及び取得されて格納部１３に格納された監視結果の出力要求信号を検出することができる（Ｓ２１１０）。前記出力要求信号は、ユーザー入力部（図示せず）を介して入力されたり、遠隔地の端末などから有線または無線で受信することができる。
【０２４３】
監視サーバ１０の制御部１２は、格納部１３に格納された監視結果を抽出し（Ｓ２１２０）、図２２のようなグラフ、数値、テキストなどの様々な形で電力量データを表示することができる（Ｓ２１３０）。図２２は、電子機器、エネルギー貯蔵装置１４０の消費電力量または充電量に関する情報を図示したものである。その例として、Ａ乃至Ｃは、家電機器１３０の電力量の例であり、Ｄは、エネルギー貯蔵装置１４０の電力量の例である。家電機器の電力量の場合、ＮＩＬＭ分析に必要とされる電力量データが取得されることにより、電力量の周期が短く表示されることがある。
【０２４４】
本発明の実施形態では、外部電力供給源１１０、分電盤１２０、電子機器１３０及びエネルギー貯蔵装置１４０でそれぞれ電力量データを測定したり推定するための動作を順次説明したが、上記の電力量データを推定したり測定するための動作の順序は限定されず、様々な形態に可変されて実行することができる。
【０２４５】
本発明の一実施形態によれば、従来の外部電力供給源以外にも、エネルギー貯蔵装置１４０が付加された場合、負荷に供給される電力の消費状態及び再生可能エネルギー源の電力生産の状態を総合的に監視することができる効果がある。
【０２４６】
以上では、好ましい実施形態について図示して説明したが、本発明の技術的思想は上述した特定の実施形態に限定されず、請求範囲で請求する本発明の要旨をはずれることなく、該発明が属する技術分野において通常の知識を有する者によって多様な変形実施が可能なだけではなく、このような変形実施は、本発明の技術的思想や展望から個別的に理解されてはならないだろう。
【符号の説明】
【０２４７】
１０  ：監視サーバ（サーバ）
１１  ：通信部
１２  ：制御部
１３  ：格納部
１４  ：出力部
１１０：外部電力供給源
１２０：分電盤
１３０：電子機器，家電機器（第１負荷）
１４０：エネルギー貯蔵装置
１５０：電子機器（第２負荷）
１７１：第１電力測定装置
１７２：第２電力測定装置
１７３：第３電力測定装置
１７４：第４電力測定装置
【図１】
0006266060.tif 000002
【図２】
0006266060.tif 000003
【図３】
0006266060.tif 000004
【図４】
0006266060.tif 000005
【図５】
0006266060.tif 000006
【図６】
0006266060.tif 000007
【図７】
0006266060.tif 000008
【図８】
0006266060.tif 000009
【図９】
0006266060.tif 000010
【図１０】
0006266060.tif 000011
【図１１】
0006266060.tif 000012
【図１２】
0006266060.tif 000013
【図１３】
0006266060.tif 000014
【図１４】
0006266060.tif 000015
【図１５】
0006266060.tif 000016
【図１６】
0006266060.tif 000017
【図１７】
0006266060.tif 000018
【図１８】
0006266060.tif 000019
【図１９】
0006266060.tif 000020
【図２０】
0006266060.tif 000021
【図２１】
0006266060.tif 000022
【図２２】
0006266060.tif 000023